(57)【特許請求の範囲】
【請求項１】
見守り対象者が毎日の生活をする生活空間内に設置された化粧料を容れた化粧用容器と、上記化粧用容器の動きあるいはそのキャップの開閉を検出するセンサーと、このセンサーで検出した検出信号を発信する発信手段と、この発信手段から発信された発信信号を受信する解析システム部とを備え、
上記解析システム部には見守り者が所有する端末を含み、
上記見守り者が上記発信信号に基づいて上記見守り対象者の生活状況を確認可能にした見守りシステム。
【請求項２】
上記化粧用容器は、スキンケア用の化粧料を容れた化粧用容器と、メーキャップ用の化粧料を容れた化粧用容器との２種類からなり、これら２種類の化粧用容器の動きあるいはそのキャップの開閉を検出する検出信号には、上記センサーあるいは発信手段を特定するためのＩＤ等の固有信号を含むとともに、上記センサーあるいは発信手段の上記固有信号は、スキンケア用の化粧料を容れた化粧用容器と、メーキャップ用の化粧料を容れた化粧用容器とに類別されてなり、上記解析システム部は、スキンケア用の化粧料を容れた化粧用容器に設けた発信手段から出力された信号と、メーキャップ用の化粧料を容れた化粧用容器に設けた発信手段から出力された信号とを識別する機能を備えた請求項１に記載された見守りシステム。
【請求項３】
異なる化粧料を容れた複数の化粧用容器を備えるとともに、これらの化粧用容器の動きあるいはそのキャップの開閉を検出する検出信号には、上記センサーあるいは発信手段を特定するためのＩＤ等の固有信号を含み、上記解析システム部は、いずれかの化粧用容器に設けた発信手段から出力された信号であるかを識別する機能を備えた請求項１に記載された見守りシステム。
【発明の詳細な説明】
【技術分野】
【０００１】
この発明は、化粧用容器の特殊性を活用したその使用状況確認システム、その使用状況確認システムに用いる化粧用容器及び使用状況確認システムに用いる化粧用容器を保持する保持装置に関する。
【背景技術】
【０００２】
例えば、電気ポットなどの容器の使用状況を確認するシステムとして、特許文献１に記載された技術が従来から知られている。
この従来から知られているシステムは、電気ポットの使用状況に応じて、例えば高齢者の生活状況を確認しようとするものである。
【０００３】
この従来のシステムは、特定の生活空間の中で、高齢者が電気ポットを操作しているか否かを判定し、電気ポットを毎日使っていれば、少なくとも寝たきりの状態になっていないと判定する。しかし、何日も、電気ポットを使用していなければ、高齢者の健康に異常があると判定する。
そして、上記判定結果を、通信網を使って高齢者の生活空間から離れた遠隔地からも確認できるようにしている。
【先行技術文献】
【特許文献】
【０００４】
【特許文献１】特開２００７−１３５８５９号公報
【発明の概要】
【発明が解決しようとする課題】
【０００５】
上記のようにした従来のシステムでは、高齢者が当該電気ポットを操作したかどうかは判定できる。
しかし、高齢者の健康状態は、所定の動作ができるかどうかだけで判断できるものではなく、その精神状態も健康の大きなバロメータになる。
【０００６】
例えば、日本福祉大学が集計した統計によると、毎日外出している人と、外出回数が週に１回以下の人とでは、週に１回以下の人の方が重度要介護になる確率が１．９倍にもなっている。また、友人と会う頻度が月１回以上の人と、その頻度が月１回未満の人とでは、月１回未満の人の方が重度要介護になる確率が１．７倍になっている。
【０００７】
この統計からも明らかなように、高齢者の健康状態は、人に会ったり外出したりする積極的な気持が保たれているかどうかに大きく依存している。
したがって、従来の電気ポットを利用したシステムのように、ただ単に特定の動作ができているかどうかだけでは、高齢者の健康状態を細かく判定することができないという問題があった。
【０００８】
この発明の目的は、化粧品を使うときの人の特殊な心理状態を利用して、化粧料を容れた化粧用容器の使用状況で、高齢者などの見守り対象者の心理状態が積極的かどうかを判定できる見守りシステムを提供することである。
【課題を解決するための手段】
【０００９】
第１の発明は、見守り対象者が毎日の生活をする生活空間内に設置された化粧料を容れた化粧用容器と、上記化粧用容器の動きあるいはそのキャップの開閉を検出するセンサーと、このセンサーで検出した検出信号を発信する発信手段と、この発信手段から発信された発信信号を受信する解析システム部とを備え、上記解析システム部には見守り者が所有する端末を含み、上記見守り者が上記発信信号に基づいて上記見守り対象者の生活状況を確認可能にした点に特徴を有する。
【００１０】
第２の発明は、スキンケア用の化粧料を容れた化粧用容器と、メーキャップ用の化粧料を容れた化粧用容器との２種類を備え、これら２種類の化粧用容器の動きあるいはそのキャップの開閉を検出する検出信号には、上記センサーあるいは発信手段を特定するためのＩＤ等の固有信号を含むとともに、上記センサーあるいは発信手段の上記固有信号は、スキンケア用の化粧料を容れた化粧用容器と、メーキャップ用の化粧料を容れた化粧用容器とに類別されてなり、上記解析システム部は、スキンケア用の化粧料を容れた化粧用容器に設けた発信手段から出力された信号と、メーキャップ用の化粧料を容れた化粧用容器に設けた発信手段から出力された信号とを識別する機能を備えた点に特徴を有する。
【００１１】
第３の発明は、異なる化粧料を容れた複数の化粧用容器を備えるとともに、これらの化粧用容器の動きあるいはそのキャップの開閉を検出する検出信号には、上記センサーあるいは発信手段を特定するためのＩＤ等の固有信号を含み、上記解析システム部は、いずれかの化粧用容器に設けた発信手段から出力された信号であるかを識別する機能を備えた点に特徴を有する。
【発明の効果】
【００１７】
第１の発明によれば、化粧用容器を動かしたり、そのキャップを開閉したりしたときには、その化粧用容器に容れられたスキンケア用の化粧料であれ、メーキャップ用の化粧料であれ、化粧をしたいという意思表示と受け止めることができる。
【００１８】
例えば、スキンケア用の化粧料は、肌を健康に保つために毎日使用されるのが通常であるが、このときには、自身の肌を健康に保ちたいという積極的な心理状態にあると考えられる。
また、メーキャップ用の化粧料は、人に会ったり外出したりするときに多く使用されるが、それはいわゆるお化粧をするといった範ちゅうに入る行為である。このお化粧行為には、他人に見られているという意識の下で、人から好感をもたれたいとか、人に不快感を与えたくないといった気持が強く、他人を意識したより積極的な心理状態にあると考えられる。
【００１９】
いずれにしても、化粧用容器を動かしたり、そのキャップを開閉したりする回数を把握すれば、高齢者などの見守り対象者が体を動かしているかどうかが分かることはもちろん、健康的な肌を保ってより美しくありたいという積極的な心理状態にあるかどうかも分かる。
したがって、体を動かしている身体状況と、積極的な心理状態にあるという精神状態とを同時に把握でき、見守り対象者の健康状態をきめ細かに見守ることができる。
【００２０】
上記のように化粧品の使用は、化粧をして健康で美しくなりたいという意思表示として受け止めることができる特徴がある。
【００２１】
第２の発明によれば、高齢者などの見守り対象者の生活状況をさらにきめ細かに見守ることができる。
例えば、スキンケア用の化粧料は毎日使用するのが通常なので、スキンケア用の化粧料を容れた化粧用容器の使用状況を把握すれば、肌を健康に保ちたいという積極的な気持を持ちながら、元気に動ける状態になっているかどうかが分かる。
【００２２】
一方、メーキャップ用の化粧料は、人に出会ったり外出したりするときに多く使用されるので、メーキャップ用の化粧料を容れた化粧用容器の使用頻度を把握すれば、高齢者などの見守り対象者の意識が外交的でより積極的な心理状態になっているかどうかが分かる。
【００２３】
そして、スキンケア用の化粧用容器と、メーキャップ用の化粧用容器との使用頻度を総合的に判定すれば、高齢者などの見守り対象者が心身ともに健康かどうかをきめ細かに把握することができる。
【００２４】
また、第３の発明によれば、モニターテストのときに、異なる化粧料を同じ時期に使用したときの複合作用なども把握できる。
【図面の簡単な説明】
【００２６】
【図１】図１は第１実施形態のシステム図である。
【図２】図２は第２実施形態の化粧用容器とスタンドとの関係を示す断面図である。
【図３】図３は第３実施形態の化粧用容器とスタンドとの関係を示す断面図である。
【発明を実施するための形態】
【００２７】
図１に示した第１実施形態は、例えば、見守り対象者である高齢者が毎日の生活をする生活空間Ａ内に、スキンケア用の化粧料を容れた類の化粧用容器１と、メーキャップ用の化粧料を容れた類の化粧用容器２との２種類を備えている。
なお、上記化粧用容器は、上記のように２種類備わっていれば、個々の種類の容器数はいくつあってもよい。
【００２８】
そして、上記２種類の化粧用容器１，２には、加速度センサー３，４を設けているが、これら加速度センサー３，４は化粧用容器１，２を動かしたときに、その動き検出する。また、この加速度センサー３，４が検出した検出信号は、化粧用容器１，２に設けた発信手段５，６から発信される構成にしている。
【００２９】
そして、上記発信手段５，６から発信される検出信号には、加速度センサー３，４あるいは発信手段５，６を特定するためのＩＤ等の固有信号が含まれる。なお、この固有信号には、例えば発信手段５，６の固有の機械番号等も含まれる。
また、加速度センサー３，４あるいは発信手段５，６の上記固有信号は、スキンケア用の化粧料を容れた類の化粧用容器１と、メーキャップ用の化粧料を容れた類の化粧用容器２との種類に応じて類別されている。
【００３０】
したがって、スキンケア用の化粧料を容れた類の化粧用容器１に取り付けた発信手段５から出力される信号と、メーキャップ用の化粧料を容れた類の化粧用容器２に取り付けた発信手段６から出力される信号とは、コンピュータがそれらを識別できることになる。言い換えると、コンピュータは、スキンケア用の化粧料を容れた類の化粧用容器１と、メーキャップ用の化粧料を容れた類の化粧用容器２とを類別できることになる。
【００３１】
上記のように化粧用容器１，２を備えた上記生活空間Ａには、発信手段５，６から発信された検出信号を送受信できる送受信手段７を備えている。この送受信手段７は、いずれの化粧用容器に設けた発信手段からの信号であるかを、上記固有信号を基にして識別して記憶するとともに、それらの信号を受信した日付や時間も同時に記憶できるようにしている。ただし、必要に応じて、時間だけを記憶させたり、日付だけを記憶させたりできることは当然である。
【００３２】
上記送受信手段７は、通信網８を介してコントロールセンターのコンピュータ９に接続され、上記識別して記憶された受信信号と、その受信日及び受信時間とを対応させてコントロールセンターのコンピュータ９に送信する機能を備えている。
【００３３】
そして、上記コンピュータ９は、上記送受信手段７から送信された信号を受信したとき、その受信した信号を、当該送受信手段７を特定するＩＤ等の固有信号とともに記憶する。したがって、コンピュータ９は、いずれの送受信手段７からどのような信号が受信されたかを記憶できることになる。すなわち、コンピュータ９は、受信した信号の受信日時とともに、どの類の化粧用容器の発信手段７から発信されたものであるかを記憶できることになる。
なお、上記送受信手段７の固有信号には、ＩＤのほかに当該送受信手段７の固有の機械番号等も含まれる。
【００３４】
一方、上記コンピュータ９は、上記送受信手段７のＩＤ等の固有信号と、特定端末１０のＩＤ等の固有信号とを対応づけ、それらの対応関係をコンピュータ９の記憶部にあらかじめ記憶している。そして、特定端末１０からアクセスがあったとき、コンピュータ９は、当該端末１０の固有信号と対応する送受信手段７を特定し、特定された送受信手段７から受信した信号をアクセスした端末１０に送信する。
【００３５】
したがって、上記生活空間Ａにおいて、例えば高齢者が、スキンケア用の化粧料を容れた類の化粧用容器１や、メーキャップ用の化粧料を容れた類の化粧用容器２のいずれかを使用すれば、加速度センサー３あるいは４から検出された信号が、発信手段５あるいは６から当該化粧用容器の使用信号として発信されるとともに、その使用状況を端末１０で確認することができる。
なお、送受信手段７、コントロールセンターのコンピュータ９及び端末１０間の事前登録やセキュリティー等に関しては説明を省略したが、このシステムでもそれが実行されていることは当然である。
【００３６】
上記のようにして端末１０を介してコンピュータ９にアクセスすれば、端末１０の所有者は、遠隔地にいながら上記生活空間Ａ内の高齢者の精神状態を含めた生活状況をきめ細かに見守ることができる。
【００３７】
例えば、スキンケア用の化粧容器１の使用回数も、メーキャップ用の化粧用容器の使用回数も、通常通りであれば、その高齢者は心身ともに元気であると判定できる。
しかし、スキンケア用の化粧用容器１の使用回数は通常通りであるが、メーキャップ用の化粧用容器２の使用頻度が極端に少なくなったときは、体はある程度動かせるけれど、精神的に弱気になっているのではないかといった判断ができる。
【００３８】
さらに、メーキャップ用の化粧用容器はぜんぜん使われず、スキンケア用の化粧用容器の使用回数も極端に減ったときには、体を動かすことにも、おっくうがっているといった判断もできる。
【００３９】
なお、上記第１実施形態では、送受信手段７の出力信号を、いったんコントロールセンターのコンピュータ９に記憶させるようにしたが、上記出力信号を、コンピュータ９に常時送信してもよいし、一定時間ごとに定期的にコンピュータ９に送信してもよい。また、送受信手段７は、発信手段５，６から信号を受信したときに、自動的にコンピュータ９に信号を送信してもよい。
さらに、上記送受信手段７に、発信手段５，６から受信したすべての信号を記憶させておいて、コンピュータ９が送受信手段７にアクセスして送受信手段７に記憶されている信号を入手してもよい。
【００４０】
また、送受信手段７は、コンピュータ９を介することなく、上記出力信号を端末１０に直接送信してもよい。この場合にも、送受信手段７は、信号を、端末１０に常時送信してもよいし、一定時間ごとに定期的に端末１０に送信してもよい。
さらに、発信手段５，６から信号を受信したときに、送受信手段７が自動的に端末１０に当該信号を送信してもよい。
また、送受信手段７に発信手段５，６から受信した信号を記憶させておいて、端末１０がこの送受信手段７にアクセスして送受信手段７に記憶されている信号を入手してもよい。
【００４１】
必要なことは、スキンケア用の化粧用容器１の使用回数と、メーキャップ用の化粧用容器２の使用回数とを、見守り対象者が毎日の生活をする生活空間Ａから離れた遠隔地にいても、知ることができるようにすることで、その信号のやり取りのシステムは特に限定されない。
なお、上記第１実施形態において、送受信手段７、コントロールセンターのコンピュータ９及び端末１０が、この発明の解析システム部を構成する。
【００４２】
また、上記第１実施形態では、化粧用容器を、スキンケア用の容器とメーキャップ用の容器との２種類としたが、この発明では、化粧用容器は１種類でも良いし、特に類別されていなくてもよい。
この発明の特徴の一つは、化粧料の使用頻度を把握して、高齢者が化粧をするという積極的な精神状態にあるかどうかを判定することなので、化粧用容器は上記したように類別されていなくても高齢者の精神状態を把握することができる。
さらに、この発明は、化粧品をモニターテストするときにも活用できるが、このときにも、化粧用容器は特に類別しなくてもよいし、２種類以上あるいは多品種あってもかまわない。
【００４３】
なお、この発明においては、化粧用容器１，２の動きだけでなく、これら容器のキャップの開閉を電気信号として取り出して利用してもよい。この場合のセンサーは、キャップの開閉に応じて電気的にオン・オフするものであれば、どのようなものでもよい。
そして、送信手段５，６は、上記オンの信号を当該化粧用容器の不使用信号とし、オフの信号を当該化粧用容器の使用信号として出力する。
【００４４】
図２に示した第２実施形態は、この発明の保持手段であるスタンド１１を備えるとともに、このスタンド１１にはこの発明の保持部である凹部１１ａを形成し、この凹部１１ａに化粧用容器１，２を挿入して立てて置けるようにしたものである。
そして、上記凹部１１ａの底１１ｂにはセンサー１２を設けているが、このセンサー１２は、化粧用容器１，２をスタンド１１から外したときに信号を出力するリミットスイッチで構成されている。
【００４５】
したがって、化粧用容器１，２を凹部１１ａに挿入して、当該化粧用容器１，２の底でリミットスイッチであるセンサー１２を押せば、センサー１２は電気的なオンの信号を生成することになる。反対に、化粧用容器１，２の底をセンサー１２から離す方向に移動させれば、センサー１２は電気的なオフの信号を生成することになる。
上記オン・オフ信号は、スタンド１１に設けた発信手段１３を介して、第１実施形態と同様の送受信手段７に送信される構成にしている。
【００４６】
しかも、スタンド１１に設けた上記発信手段１３は、当該スタンド１１のＩＤ等の固有信号を出力できる構成にし、コンピュータ９がいずれのスタンドから出力された信号かを識別できるようにしている。なお、上記固有信号には、発信手段１３の固有の機械番号等も含まれる。
【００４７】
そして、スキンケア用の化粧料を容れた類の化粧用容器１を保持するスタンドと、メーキャップ用の化粧料を容れた類の化粧用容器２を保持するスタンドとの２種類を備えるとともに、それぞれの種類のスタンドから発信される信号を類別しておくことによって、コントロールセンターのコンピュータ９は、送受信手段７からの信号によって上記化粧用容器の種類を識別できることになる。
【００４８】
しかも、上記のように保持手段であるスタンド１１を備えるとともに、このスタンド１１にセンサー１２及び発信手段１３を設けることによって、化粧用容器１，２に、特別なセンサーを設ける必要がなくなるので、汎用的な化粧用容器をそのまま使用することができる。
【００４９】
さらに、この発明の保持部である凹部１１ａの形態を、化粧用容器１，２の形態と対応させて、当該凹部１１ａには特定の形態の容器しか挿入できないようにしておけば、上記した２種類の化粧用容器１，２をその形態で種類分けしておくだけで、高齢者であっても、化粧用容器とスタンドとの対応関係を間違えたりしなくなる。
このように両者の対応関係がいつも正確に設定されれば、スタンド１１に設けた上記発信手段１３からの信号と、使用された化粧用容器との対応関係も正確に判定することができる。
【００５０】
なお、この第２実施形態においても、送受信手段７が通信網８を介してコントロールセンターのコンピュータ９に接続されるとともに、このコンピュータ９に端末１０がアクセスできること、第１実施形態と同じである。
また、送受信手段７からの出力信号を、コンピュータ９に常時送信してもよいし、一定時間ごとに定期的にコンピュータ９に送信してもよい。また、送受信手段７は、発信手段１３から信号を受信したときに、自動的にコンピュータ９に信号を送信してもよい。
さらに、上記送受信手段７に、発信手段１３から受信したすべての信号を記憶させておいて、コンピュータ９が送受信手段７にアクセスして送受信手段７に記憶されている信号を入手してもよい。
【００５１】
また、送受信手段７は、コンピュータ９を介することなく、上記出力信号を端末１０に直接送信してもよい。この場合にも、送受信手段７は、端末１０に情報を常時送信してもよいし、一定時間ごとに定期的に端末１０に情報を送信してもよい。さらに、発信手段１３から信号を受信したときに、送受信手段７は、自動的に端末１０に信号を送信してもよい。
【００５２】
また、送受信手段７に発信手段１３から受信した信号を記憶させておいて、端末１０がこの送受信手段７にアクセスして送受信手段７に記憶されている信号を入手してもよい。
これらの点は、第１実施形態で説明したと同様である。
【００５３】
図３に示した第３実施形態は、第２実施形態と同様の保持手段であるスタンド１１を備えているが、この第３実施形態では、凹部１１ａの一方の壁面に発光部１４を設け、この発光部１４と対向する壁面に受光部１５を設けている。
そして、凹部１１ａ内に化粧用容器１，２を挿入したときには、発光部１４と受光部１５との間の光が遮られ、化粧用容器１，２を凹部１１ａから抜いたとき、発光部１４の光が受光部１５に入力することになる。したがって、この第３実施形態においては、発光部１４と受光部１５とが相まってこの発明のセンサーを構成する。
【００５４】
このように受光部１５において光のオン・オフ信号が生成されるが、このオン・オフ信号は、スタンド１１に設けた発信手段１６を介して、第１実施形態と同様の送受信手段７に送信される。
したがって、この第３実施形態でも、化粧用容器１，２の使用状況を確認することができる。
【産業上の利用可能性】
【００５５】
高齢者の健康状態をチェックする見守りシステムとして最適である。
【符号の説明】
【００５６】
１      スキンケア用の化粧料を容れた化粧用容器
２      メーキャップ用の化粧料を容れた化粧用容器
３，４    加速度センサー
５，６    発信手段
７      送受信手段
１１      保持手段であるスタンド
１２      センサー
１３      発信手段
１４      発光部
１５      受光部
１６      発信手段
【図１】
0006004655.tif 000002
【図２】
0006004655.tif 000003
【図３】
0006004655.tif 000004